(57)【要約】【課題】被駆動部材を位置決め動作開始基準位置へ移動させる際の補正を行い、より高い精度の駆動制御を行う。【解決手段】所定方向に沿った圧電素子１２の伸び速度と縮み速度とを異ならせるよう駆動パルスの供給を制御して圧電素子１２を伸縮させることで駆動棒１７を振動させ、駆動棒１７に摩擦係合したレンズ２１を所定方向に沿った双方向に移動させる駆動制御装置２０において、レンズ２１の焦点合わせ動作の開始位置についての補正量に対応する予め調整された補正駆動パルス数を記憶したＥＥＰＲＯＭ３６と、レンズ２１の焦点合わせ動作前に補正駆動パルス数を読み出す読出し手段３３と、該補正駆動パルス数に基づいて、レンズ２１を上記開始位置へ移動させるための駆動パルス数を補正する補正手段３４と、補正後の駆動パルス数に応じた駆動パルスを圧電素子１２へ供給する移動制御手段３１とを備える。【選択図】図２
2007143344.tif 000002
【特許請求の範囲】
【請求項１】
所定方向に沿って伸縮する電気機械変換素子と、
前記所定方向における前記電気機械変換素子の一端に固定された駆動部材と、
前記電気機械変換素子への駆動パルスの供給を制御する駆動パルス制御部と、
を備え、
前記駆動パルス制御部が、前記所定方向に沿った前記電気機械変換素子の伸び速度と縮み速度とを異ならせるよう前記駆動パルスの供給を制御して前記電気機械変換素子を伸縮させることで、前記駆動部材を前記所定方向に沿って振動させ、当該駆動部材に摩擦係合した被駆動部材を、前記所定方向に沿った一の方向及びその逆方向を含む双方向に移動させる駆動制御装置であって、
前記駆動パルス制御部は、
前記被駆動部材の位置決め動作開始位置についての補正量に対応する予め調整された補正駆動パルス数を記憶した補正情報記憶手段と、
前記被駆動部材の位置決めを行う位置決め動作の開始前に、前記補正情報記憶手段から補正駆動パルス数を読み出す読出し手段と、
前記読出し手段により読み出された補正駆動パルス数に基づいて、前記被駆動部材を位置決め動作開始位置へ移動させるための駆動パルス数を補正する補正手段と、
補正後の駆動パルス数に基づいて前記被駆動部材を位置決め動作開始位置へ移動させる移動制御手段と、
を含んで構成される駆動制御装置。
【請求項２】
前記駆動パルス制御部は、
前記被駆動部材の位置決めを行う位置決め動作の開始前に、前記双方向のそれぞれについて、規定の距離だけ前記被駆動部材を実際に移動させるに要した実駆動パルス数を測定する実駆動パルス数測定手段と、
前記双方向それぞれについての実駆動パルス数及び予め定めた基準パルス数より求められる、前記実駆動パルス数と前記基準パルス数との乖離に相関する所定の係数と、所定の基準値とに基づいて、温度変化に応じた前記駆動パルス数の補正を要するか否かを判断する補正判断手段と
をさらに含み、
前記補正手段は、
温度変化に応じた前記駆動パルス数の補正を要すると判断された場合、前記補正駆動パルス数に基づく前記駆動パルス数の補正に加え、予め定められた温度変化に応じた該駆動パルス数の補正を行う、
ことを特徴とする請求項１記載の駆動制御装置。
【請求項３】
前記被駆動部材はレンズを含んで構成され、前記所定方向は前記レンズの光軸方向であることを特徴とする請求項１又は２に記載の駆動制御装置。
【請求項４】
所定方向に沿って伸縮する電気機械変換素子と、
前記所定方向における前記電気機械変換素子の一端に固定された駆動部材と、
前記電気機械変換素子への駆動パルスの供給を制御する駆動パルス制御部と、
被駆動部材の位置決め動作開始位置についての補正量に対応する予め調整された補正駆動パルス数を記憶した補正情報記憶手段と、
を備えた駆動制御装置にて、
前記駆動パルス制御部によって、前記所定方向に沿った前記電気機械変換素子の伸び速度と縮み速度とを異ならせるよう前記駆動パルスの供給を制御して前記電気機械変換素子を伸縮させることで、前記駆動部材を前記所定方向に沿って振動させ、当該駆動部材に摩擦係合した前記被駆動部材を、前記所定方向に沿った一の方向及びその逆方向を含む双方向に移動させる駆動制御方法であって、
前記駆動パルス制御部が、前記被駆動部材の位置決めを行う位置決め動作の開始前に、前記補正情報記憶手段から補正駆動パルス数を読み出す読出しステップと、
前記駆動パルス制御部が、読み出された補正駆動パルス数に基づいて、前記被駆動部材を位置決め動作開始位置へ移動させるための駆動パルス数を補正する第１の補正ステップと、
前記駆動パルス制御部が、補正後の駆動パルス数に基づいて前記被駆動部材を位置決め動作開始位置へ移動させる移動制御ステップと、
を有する駆動制御方法。
【請求項５】
前記駆動パルス制御部が、前記位置決め動作の開始前に、前記双方向のそれぞれについて、規定の距離だけ前記被駆動部材を実際に移動させるに要した実駆動パルス数を測定する実駆動パルス数測定ステップと、
前記駆動パルス制御部が、前記双方向それぞれについての実駆動パルス数及び予め定めた基準パルス数より求められる、前記実駆動パルス数と前記基準パルス数との乖離に相関する所定の係数と、所定の基準値とに基づいて、温度変化に応じた前記駆動パルス数の補正を要するか否かを判断する補正判断ステップと、
前記駆動パルス制御部が、温度変化に応じた前記駆動パルス数の補正を要すると判断された場合、予め定められた温度変化に応じた該駆動パルス数の補正を行う第２の補正ステップと、
をさらに有する請求項４記載の駆動制御方法。
【発明の詳細な説明】
【技術分野】
【０００１】
本発明は、電気機械変換素子を用いた駆動制御装置及び駆動制御方法に関する。
【背景技術】
【０００２】
従来、圧電素子を用いたアクチュエータが種々提案されている。例えば、カメラのレンズのフォーカス駆動のための圧電素子を用いたアクチュエータも提案されている（下記の特許文献３参照）。かかるアクチュエータでは、所定方向に沿った圧電素子の伸び速度と縮み速度とを異ならせるよう該圧電素子への駆動パルスの供給を制御して該圧電素子を伸縮させることで、レンズ駆動用の軸部材を上記所定方向に沿って振動させ、該軸部材に摩擦係合したレンズを上記所定方向に沿って微小に移動させるのが一般的である。
【０００３】
ところが、上記のアクチュエータでは、所定方向に沿った圧電素子の伸び速度と縮み速度とを異ならせるよう該圧電素子を伸縮させることで、軸部材を上記所定方向に沿って振動させ、該軸部材に摩擦係合したレンズを微小に移動させていたため、駆動パルス数に比例した距離だけレンズを移動させることは困難であった。
【０００４】
かかる問題点を踏まえ、下記特許文献１には、レンズのフォーカス駆動の精度を向上させるべく、レンズの移動量を検出し該レンズの移動速度を求め、該レンズの移動速度が予め定められた目標速度となるよう、レンズの駆動のための駆動パルスの供給停止時間を制御する技術が開示されている。
【特許文献１】特開平１１−３５６０７０号公報
【特許文献２】特許第３２９７６５９号公報
【特許文献３】特許第２６３３０６６号公報
【発明の開示】
【発明が解決しようとする課題】
【０００５】
しかしながら、レンズのフォーカス駆動を開始する際のレンズの開始位置（基準となる開始位置）を精度良く調整することはフォーカス駆動の精度向上のために不可欠であるが、特許文献１には、レンズを開始位置まで移動させる際の補正については言及されていない。また、特許文献２には、フォトインタラプタ切替り位置から待機位置までレンズを移動させレンズのフォーカス駆動を開始する点が言及されているものの、レンズを開始位置まで移動させる際の補正については言及されていない。
【０００６】
本発明は、上記課題を解決するために成されたものであり、被駆動部材を位置決め動作開始基準位置へ移動させる際の補正を行い、より高い精度での駆動制御を実現することができる駆動制御装置及び駆動制御方法を提供することを目的とする。
【課題を解決するための手段】
【０００７】
上記目的を達成するために、本発明に係る駆動制御装置は、所定方向に沿って伸縮する電気機械変換素子と、所定方向における電気機械変換素子の一端に固定された駆動部材と、電気機械変換素子への駆動パルスの供給を制御する駆動パルス制御部とを備え、駆動パルス制御部が、所定方向に沿った電気機械変換素子の伸び速度と縮み速度とを異ならせるよう駆動パルスの供給を制御して電気機械変換素子を伸縮させることで、駆動部材を所定方向に沿って振動させ、当該駆動部材に摩擦係合した被駆動部材を、所定方向に沿った一の方向及びその逆方向を含む双方向に移動させる駆動制御装置であって、駆動パルス制御部は、被駆動部材の位置決め動作開始位置についての補正量に対応する予め調整された補正駆動パルス数を記憶した補正情報記憶手段と、被駆動部材の位置決めを行う位置決め動作の開始前に、補正情報記憶手段から補正駆動パルス数を読み出す読出し手段と、読出し手段により読み出された補正駆動パルス数に基づいて、被駆動部材を位置決め動作開始位置へ移動させるための駆動パルス数を補正する補正手段と、補正後の駆動パルス数に基づいて被駆動部材を位置決め動作開始位置へ移動させる移動制御手段とを含んで構成されることを特徴とする。
【０００８】
また、本発明に係る駆動制御方法は、所定方向に沿って伸縮する電気機械変換素子と、所定方向における電気機械変換素子の一端に固定された駆動部材と、電気機械変換素子への駆動パルスの供給を制御する駆動パルス制御部と、被駆動部材の位置決め動作開始位置についての補正量に対応する予め調整された補正駆動パルス数を記憶した補正情報記憶手段とを備えた駆動制御装置にて、駆動パルス制御部によって、所定方向に沿った電気機械変換素子の伸び速度と縮み速度とを異ならせるよう駆動パルスの供給を制御して電気機械変換素子を伸縮させることで、駆動部材を所定方向に沿って振動させ、当該駆動部材に摩擦係合した被駆動部材を、所定方向に沿った一の方向及びその逆方向を含む双方向に移動させる駆動制御方法であって、駆動パルス制御部が、被駆動部材の位置決めを行う位置決め動作の開始前に、補正情報記憶手段から補正駆動パルス数を読み出す読出しステップと、駆動パルス制御部が、読み出された補正駆動パルス数に基づいて、被駆動部材を位置決め動作開始位置へ移動させるための駆動パルス数を補正する第１の補正ステップと、駆動パルス制御部が、補正後の駆動パルス数に基づいて被駆動部材を位置決め動作開始位置へ移動させる移動制御ステップとを有することを特徴とする。
【０００９】
上記の本発明に係る駆動制御装置又は駆動制御方法によれば、被駆動部材の位置決めを行う位置決め動作の開始前に、駆動パルス制御部が、補正情報記憶手段から補正駆動パルス数を読み出し、読み出された補正駆動パルス数に基づいて、被駆動部材を位置決め動作開始位置へ移動させるための駆動パルス数を補正する。そして、駆動パルス制御部は、補正後の駆動パルス数に基づいて被駆動部材を位置決め動作開始位置へ移動させる。
【００１０】
このように本発明では、被駆動部材の位置決めを行う位置決め動作の開始前に、被駆動部材を位置決め動作開始位置へ移動させるための駆動パルス数を補正するので、より高い精度での駆動制御を実現することができる。
【００１１】
なお、本発明に係る駆動制御装置では、駆動パルス制御部は、被駆動部材の位置決めを行う位置決め動作の開始前に、双方向のそれぞれについて、規定の距離だけ被駆動部材を実際に移動させるに要した実駆動パルス数を測定する実駆動パルス数測定手段と、双方向それぞれについての実駆動パルス数及び予め定めた基準パルス数より求められる、実駆動パルス数と基準パルス数との乖離に相関する所定の係数と、所定の基準値とに基づいて、温度変化に応じた駆動パルス数の補正を要するか否かを判断する補正判断手段とをさらに含み、補正手段は、温度変化に応じた駆動パルス数の補正を要すると判断された場合、補正駆動パルス数に基づく駆動パルス数の補正に加え、予め定められた温度変化に応じた該駆動パルス数の補正を行う構成とすることが望ましい。
【００１２】
また、本発明に係る駆動制御方法は、駆動パルス制御部が位置決め動作の開始前に、双方向のそれぞれについて、規定の距離だけ被駆動部材を実際に移動させるに要した実駆動パルス数を測定する実駆動パルス数測定ステップと、駆動パルス制御部が、双方向それぞれについての実駆動パルス数及び予め定めた基準パルス数より求められる、実駆動パルス数と基準パルス数との乖離に相関する所定の係数と、所定の基準値とに基づいて、温度変化に応じた駆動パルス数の補正を要するか否かを判断する補正判断ステップと、駆動パルス制御部が、温度変化に応じた駆動パルス数の補正を要すると判断された場合、予め定められた温度変化に応じた該駆動パルス数の補正を行う第２の補正ステップとをさらに有することが望ましい。
【００１３】
このように、温度変化に応じた駆動パルス数の補正を要するか否かを判断し、温度変化に応じた駆動パルス数の補正を要すると判断された場合に、予め定められた温度変化に応じた補正を駆動パルス数に対し施すことで、より精度の高い駆動制御を実現することができる。
【００１４】
なお、上記の被駆動部材はレンズを含んで構成され、所定方向はレンズの光軸方向とすることができる。即ち、本発明に係る駆動制御装置及び駆動制御方法は、光軸方向に沿ったレンズの位置決めにおけるレンズの駆動制御に適用することができる。
【発明の効果】
【００１５】
本発明によれば、被駆動部材を位置決め動作開始基準位置へ移動させる際の補正を行い、より高い精度での駆動制御を実現することができる。
【発明を実施するための最良の形態】
【００１６】
以下、図１乃至図５を参照して本発明に係る実施形態について説明する。
【００１７】
［駆動制御装置の概略構成］
図１には、本発明に係る駆動制御装置２０の一例の分解斜視図を示す。図１において、駆動制御装置２０は、被駆動部材としてのレンズ２１（図２）を内蔵した鏡筒１と、鏡筒１を支持するとともにレンズ２１の光軸方向に沿って鏡筒１を案内するガイドバー３とを含んで構成される。鏡筒１の左側の突部１ａの孔１ｂと突部１ｃの孔１ｄには鏡筒１を支持するとともに鏡筒１を軸方向移動させる鏡筒支持部材兼駆動棒１７が挿入されており、該駆動棒１７（以下「駆動棒」と略記する）は駆動棒支持部材１３に形成された第１の直立部１３ａの孔１３ｂ及び第２の直立部１３ｃの孔１３ｄに軸方向移動可能に挿入されている。また、駆動棒１７は該駆動棒支持部材１３の第２の直立部１３ｃよりも更に後方に突出しており、該駆動棒の後端は該駆動棒支持部材１３の第３の直立部１３ｅに後端を固着された圧電素子１２の前端に固定されている。
【００１８】
鏡筒１の突部１ａ及び１ｃの下面には鉛直なネジ孔が形成され、それぞれのネジ孔の位置と一致するバカ孔１４ａ及び１４ｂを両端に有した長方形の板バネ１４がビス１５及び１６によって突部１ａ及び１ｃの下面に駆動棒１７と平行に取付けられている。板バネ１４の中央には上向きに突出した屈曲部１４ｃが形成され、この屈曲部１４ｃは突部１ａと１ｃとの中間位置において駆動棒１７の下面に圧接されている。このため突部１ａの孔１ｂ及び突部１ｃの孔１ｄのそれぞれの中で駆動棒１７が上の方へ片寄せされ、孔１ｂ及び１ｄのそれぞれの上側の内周面に駆動棒１７の上側の外周面が板バネ１４の弾発力により圧接されている。従って、孔１ｂ及び１ｄと駆動棒１７との摩擦力及び屈曲部１４ｃと駆動棒１７の摩擦力以下の軸方向力が駆動棒１７に加えられた時には鏡筒１と駆動棒１７とは一体となって動くが、該摩擦力以上の軸方向力が駆動棒１７に加わった時には駆動棒１７のみが軸方向に移動可能となる。なお、ｗ１及びｗ２は圧電素子１２に給電するためのリード線である。
【００１９】
次に、駆動棒１７と鏡筒１を摩擦係合する板バネ１４の作用について説明する。摩擦力を安定して発生させ、板バネ１４による弾性力が鏡筒１の変位方向に作用しないようにするために板バネ１４の弾性力は駆動棒１７に略垂直に加わるようになされている。更に圧電素子１２の伸縮により、板バネ１４が圧電素子１２の伸縮方向に弾性変形すると駆動棒１７と鏡筒１との摩擦力が変化し、更に鏡筒１の変位方向に弾性力が作用し、鏡筒１の変位が不安定になる。これを防ぐため、板バネ１４は圧電素子１２の伸縮方向と平行な平面部を有し、この方向には大きな剛性を有するようになされている。
【００２０】
［駆動制御装置の機能的構成］
図２には駆動制御装置２０に関する機能ブロック図を示す。図２に示すように、駆動制御装置２０は、図１の鏡筒１に内蔵されたレンズ２１と、レンズ２１の位置を光軸方向に沿って調整するための駆動棒１７と、駆動棒１７に連結され該駆動棒１７を光軸方向に沿って移動させる作用を持つ圧電素子１２と、圧電素子１２への駆動パルスの供給を制御する駆動パルス制御部３０とを備えている。このうち駆動パルス制御部３０は、光軸方向に沿った圧電素子１２の伸び速度と縮み速度とを異ならせるよう駆動パルスの供給を制御して圧電素子１２を伸縮させることで、駆動棒１７を光軸方向に沿って振動させ、駆動棒１７に摩擦係合した鏡筒１（及び内蔵されたレンズ２１）を、光軸方向に沿って被写体に近づく方向（以下「Ｎ方向」という）及び被写体から遠ざかる方向（以下「ＩＮＦ方向」という）に移動させる。
【００２１】
駆動パルス制御部３０は、従来より知られたフォトインタラプタ（不図示）を備え該フォトインタラプタからの出力信号（以下「ＰＩ出力」という。）に基づいてレンズ２１の位置を検出するポジションセンサ３２を備えている。ＰＩ出力は、一例として図３に示すようにＨ区間であるＡ領域、Ｄ領域と、Ｌ区間であるＢ領域、Ｃ領域とを含んだグラフで表される。ポジションセンサ３２は、レンズ２１の焦点合わせ動作の開始前に、Ｎ方向及びＩＮＦ方向のそれぞれについて、図３のＡ領域に相当するパルス数（規定の距離だけレンズ２１を実際に移動させるに要したパルス数、以下「実駆動パルス数」という）を測定する実駆動パルス数測定手段としての機能を有する。
【００２２】
また、駆動パルス制御部３０は、レンズ２１の焦点合わせ動作の開始基準位置（以下「ホームポジション」という）についての補正量に対応する予め調整されたパルス数である補正駆動パルス数ΔＰや、後述の測温係数算出で用いられる基準パルス数（即ち、常温正姿勢で予め求められたＮ方向基準パルス数Ｐ２ＮとＩＮＦ方向基準パルス数Ｐ２ＩＮＦ）などのさまざまな規定値を記憶したＥＥＰＲＯＭ３６と、レンズ２１の焦点合わせ動作の開始前にＥＥＰＲＯＭ３６から補正駆動パルス数ΔＰを読み出す読出し手段３３と、読み出された補正駆動パルス数ΔＰを用いて、レンズ２１をホームポジションへ移動させるための駆動パルス数を補正する補正手段３４と、レンズ２１をホームポジションへ移動させるべく補正後の駆動パルス数に応じた駆動パルスを圧電素子１２へ供給する移動制御手段３１とを備える。
【００２３】
さらに、駆動パルス制御部３０は、Ｎ方向及びＩＮＦ方向それぞれについての実駆動パルス数及び予め定めた基準パルス数より、実駆動パルス数と基準パルス数との乖離に相関する係数（測温係数）を求め、該測温係数と所定の基準値とに基づいて、温度変化に応じた駆動パルス数の補正を要するか否かを判断する補正判断手段３５をさらに備える。もちろん、補正手段３４は、温度変化に応じた駆動パルス数の補正を要すると判断された場合、後述する温度変化に応じた補正を上記駆動パルス数に対し施す。
【００２４】
［駆動制御装置における処理動作］
以下、駆動制御装置２０における処理動作を説明する。図４には、レンズ２１の焦点合わせ動作の開始前に駆動パルス制御部３０により実行される処理動作を示す。この図４に示すように、まずステップＳ１０では、駆動パルス制御部３０内の読出し手段３３がＥＥＰＲＯＭ３６から補正駆動パルス数ΔＰを読み出し、次のステップＳ２０では、図５に示す温度補正処理を実行する。
【００２５】
ステップＳ２０の温度補正処理では、まずは図５のステップＳ２１にて、ポジションセンサ３２が、Ｎ方向及びＩＮＦ方向のそれぞれについて、図３のＡ領域に相当する実駆動パルス数を測定する。つまり、ポジションセンサ３２が、図３のＡ領域について最初にＮ方向の実駆動パルス数を測定し、次にＡ領域についてＩＮＦ方向の実駆動パルス数を測定する。
【００２６】
具体的には、図３に示すように、当該時点のポジションセンサ３２の被測定位置がＰＩ出力におけるＡ領域内に相当する場合、駆動パルス制御部３０は、レンズ２１をＮ方向に移動させるよう圧電素子１２への駆動パルス供給を開始し、ポジションセンサ３２によりＰＩ出力におけるＨからＬへの立ち下がり（Ａ領域からＣ領域への切替り）を検出したら、その立ち下がり位置から所定パルス（例えば１０パルス）だけ駆動パルスを供給した時点で供給を停止する。その後、駆動パルス制御部３０は、レンズ２１をＩＮＦ方向に移動させるよう圧電素子１２への駆動パルス供給を開始し、ポジションセンサ３２によりＰＩ出力におけるＨからＬへの立ち下がり（Ａ領域からＢ領域への切替り）を検出したら、その立ち下がり位置から所定パルス（例えば１０パルス）だけ駆動パルスを供給した時点で供給を停止する。次に、駆動パルス制御部３０はレンズ２１をＮ方向に移動させるよう圧電素子１２への駆動パルス供給を開始し、ポジションセンサ３２は、ＰＩ出力におけるＬからＨへの立ち上がり（Ｂ領域からＡ領域への切替り）を検出した時点で実駆動パルス数のカウントを開始し、その後、ＰＩ出力におけるＨからＬへの立ち下がり（Ａ領域からＣ領域への切替り）を検出した時点で実駆動パルス数のカウントを終了する。このようにしてＮ方向の実駆動パルス数Ｐ１Ｎが測定される。同様に、駆動パルス制御部３０がレンズ２１をＩＮＦ方向に移動させるよう圧電素子１２への駆動パルス供給を開始した後、ポジションセンサ３２は、ＰＩ出力におけるＬからＨへの立ち上がり（Ｃ領域からＡ領域への切替り）を検出した時点で実駆動パルス数のカウントを開始し、その後、ＰＩ出力におけるＨからＬへの立ち下がり（Ａ領域からＢ領域への切替り）を検出した時点で実駆動パルス数のカウントを終了する。このようにしてＩＮＦ方向の実駆動パルス数Ｐ１ＩＮＦが測定される。
【００２７】
図５において次のステップＳ２２では、補正判断手段３５がＮ方向基準パルス数Ｐ２ＮとＩＮＦ方向基準パルス数Ｐ２ＩＮＦとをＥＥＰＲＯＭ３６から読み出し、次のステップＳ２３では、補正判断手段３５が、以下の式（１）に基づき、実駆動パルス数と基準パルス数との乖離に相関する所定の係数としての測温係数Ｄを算出するとともに、高温補正を要すると判断するための基準となる高温判断基準ＥＨ、及び低温補正を要すると判断するための基準となる低温判断基準ＥＬをＥＥＰＲＯＭ３６から読み出す。
Ｄ＝（Ｐ１Ｎ＋Ｐ１ＩＮＦ）／（Ｐ２Ｎ＋Ｐ２ＩＮＦ）  ・・・（１）
【００２８】
次のステップＳ２４では、補正判断手段３５は、算出された測温係数Ｄが高温判断基準ＥＨよりも大きい（即ち、高温補正を要する）か否かを判断する。測温係数Ｄが高温判断基準ＥＨよりも大きいと判断された場合、後述するステップＳ２７へ進み、高温補正が行われる。
【００２９】
一方、ステップＳ２４で、測温係数Ｄが高温判断基準ＥＨ以下と判断された場合は、ステップＳ２５へ進み、補正判断手段３５は、算出された測温係数Ｄが低温判断基準ＥＬよりも小さい（即ち、低温補正を要する）か否かを判断する。測温係数Ｄが低温判断基準ＥＬよりも小さいと判断された場合、後述するステップＳ２６へ進み、低温補正が行われる。
【００３０】
ステップＳ２５で測温係数Ｄが低温判断基準ＥＬ以上と判断された場合は、高温補正も低温補正も要しないため、図４のステップＳ１０で読み出された補正駆動パルス数ΔＰを補正することなく、図５の処理を終了する。
【００３１】
さて、ステップＳ２４で測温係数Ｄが高温判断基準ＥＨよりも大きいと判断された場合、ステップＳ２７にて補正手段３４は、補正駆動パルス数ΔＰに対し高温補正を行う。例えば、補正手段３４は、予め求められＥＥＰＲＯＭ３６に記憶された高温補正用パルス数調整値ＦＨを読み出し、読み出した高温補正用パルス数調整値ＦＨを補正駆動パルス数ΔＰに加算し、加算で得られたパルス数を高温補正後の補正駆動パルス数ΔＰとする。
【００３２】
一方、ステップＳ２５で測温係数Ｄが低温判断基準ＥＬよりも小さいと判断された場合、ステップＳ２６にて補正手段３４は、補正駆動パルス数ΔＰに対し低温補正を行う。例えば、補正手段３４は、予め求められＥＥＰＲＯＭ３６に記憶された低温補正用パルス数調整値ＦＬを読み出し、読み出した低温補正用パルス数調整値ＦＬを補正駆動パルス数ΔＰに加算し、加算で得られたパルス数を低温補正後の補正駆動パルス数ΔＰとする。
【００３３】
図４へ戻って、次のステップＳ３０では、補正手段３４は、ステップＳ２０の温度補正処理を経た補正駆動パルス数ΔＰを、レンズ２１をホームポジションへ移動させるための予め定められた駆動パルス数Ｐに加算することで、駆動パルス数Ｐを補正する。これにより、補正後の駆動パルス数（Ｐ＋ΔＰ）が得られる。そして、次のステップＳ４０では、移動制御手段３１が、補正後の駆動パルス数（Ｐ＋ΔＰ）の駆動パルスを圧電素子１２へ供給することで、レンズ２１をホームポジションへ移動させる。
【００３４】
以上のような本実施形態によれば、レンズ２１の焦点合わせ動作の開始前に、レンズ２１をホームポジションへ移動させるための駆動パルス数を補正するので、より高い精度での駆動制御を実現することができる。それに加え、温度変化に応じた駆動パルス数の補正を要するか否かを判断し、温度変化に応じた駆動パルス数の補正を要すると判断された場合に、温度変化に応じた補正を駆動パルス数に対し施すので、より精度の高い駆動制御を実現することができる。
【００３５】
なお、上記実施形態では、被駆動部材としてレンズを駆動する例を示したが、被駆動部材としてはレンズに限定されるものではなく、精度の高い位置決めを要する工作機械の切削部材を被駆動部材として本発明を適用することもできる。
【図面の簡単な説明】
【００３６】
【図１】本発明に係る駆動制御装置の一例を示す分解斜視図である。
【図２】駆動制御装置に関する機能ブロック図である。
【図３】ポジションセンサに含まれるフォトインタラプタからの出力信号を示すグラフである。
【図４】駆動制御装置における処理動作を示す流れ図である。
【図５】温度補正処理の処理動作を示す流れ図である。
【符号の説明】
【００３７】
１…鏡筒、３…ガイドバー、１２…圧電素子、１３…駆動棒支持部材、１４…板バネ、１５…ビス、１７…駆動棒、２０…駆動制御装置、２１…レンズ、３０…駆動パルス制御部、３１…移動制御手段、３２…ポジションセンサ、３３…読出し手段、３４…補正手段、３５…補正判断手段、３６…ＥＥＰＲＯＭ。
【図１】
2007143344.tif 000003
【図２】
2007143344.tif 000004
【図３】
2007143344.tif 000005
【図４】
2007143344.tif 000006
【図５】
2007143344.tif 000007